(57)【要約】【課題】  燃料電池システムの起動制御装置及びその起動制御方法の提供。【解決手段】  剥離と貼り付け可能な隔離膜が緊密に燃料電池システムの陰極位置に貼り付けられるか、陰極位置より剥離され、これにより緊密な貼り付け状態下で、外界空気と燃料電池の陰極を完全に隔離し、及び、剥離状態下で、外界空気を燃料電池システムの陰極に流通させる。【選択図】        図１
2005285762.tif 000002
【特許請求の範囲】
【請求項１】
燃料電池システムの起動制御装置において、剥離と貼り付け可能な隔離膜を具え、該隔離膜が緊密に燃料電池システムの陰極位置に貼り付けられるか、陰極位置より剥離され、これにより緊密な貼り付け状態下で、外界空気と燃料電池の陰極が完全に隔離され、及び、剥離状態下で、外界空気が燃料電池システムの陰極に流通することを特徴とする、燃料電池システムの起動制御装置。
【請求項２】
請求項１記載の燃料電池システムの起動制御装置において、隔離膜の材質がポリ塩化ビニルとされたことを特徴とする、燃料電池システムの起動制御装置。
【請求項３】
請求項１記載の燃料電池システムの起動制御装置において、隔離膜の材質が完全に空気を遮断できる材質とされたことを特徴とする、燃料電池システムの起動制御装置。
【請求項４】
請求項１記載の燃料電池システムの起動制御装置において、燃料電池システムがメタノール燃料電池システムとされたことを特徴とする、燃料電池システムの起動制御装置。
【請求項５】
請求項１記載の燃料電池システムの起動制御装置において、隔離膜が鮮度保持膜とされ、該鮮度保持膜が燃料電池システム全体の包囲被覆して外界空気と燃料電池システムの陰極を完全に隔離できるものとされたことを特徴とする、燃料電池システムの起動制御装置。
【請求項６】
燃料電池システムの起動制御方法において、
燃料電池システムを提供するステップ、
起動制御装置を緊密に燃料電池システムの陰極位置に貼り付けて、外界空気と燃料電池システムの陰極を完全に隔離し、これにより燃料電池システムの化学反応を中断させるステップ、
起動制御装置を燃料電池システムの陰極位置より剥離し、外界空気を燃料電池システムの陰極に流通させ、これにより燃料電池システムに化学反応を進行させるステップ、
を包含したことを特徴とする、燃料電池システムの起動制御方法。
【請求項７】
請求項６記載の燃料電池システムの起動制御方法において、起動制御装置が隔離膜とされたことを特徴とする、燃料電池システムの起動制御方法。
【請求項８】
請求項７記載の燃料電池システムの起動制御方法において、隔離膜が剥離と貼り付け可能な隔離膜とされたことを特徴とする、燃料電池システムの起動制御方法。
【請求項９】
請求項７記載の燃料電池システムの起動制御方法において、隔離膜の材質がポリ塩化ビニルとされたことを特徴とする、燃料電池システムの起動制御方法。
【請求項１０】
請求項７記載の燃料電池システムの起動制御方法において、隔離膜の材質が空気を完全に遮断できる材質とされたことを特徴とする、燃料電池システムの起動制御方法。
【請求項１１】
請求項６記載の燃料電池システムの起動制御方法において、燃料電池システムがメタノール燃料電池システムとされたことを特徴とする、燃料電池システムの起動制御方法。
【請求項１２】
請求項７記載の燃料電池システムの起動制御方法において、隔離膜が鮮度保持膜とされ、該鮮度保持膜が燃料電池システム全体の包囲被覆して外界空気と燃料電池システムの陰極を完全に隔離できるものとされたことを特徴とする、燃料電池システムの起動制御方法。
【発明の詳細な説明】
【技術分野】
【０００１】
本発明は燃料電池システムに係り、特に、燃料電池システムに化学反応を中断或いは続行させるのに非常に便利であり、これにより燃料電池システムにより電力供給を行なうか否かを制御する、燃料電池システムの起動制御装置及びその起動制御方法に関する。
【背景技術】
【０００２】
燃料電池システムは周知の技術であるが、化学反応進行中の燃料電池に即刻その化学反応を中断させて燃料電池システムに電力生成を停止させる周知の技術はない。周知の技術で製造された燃料電池システムの電気製品は、その化学反応を中断させる設計メカニズムに欠乏し、燃料電池の燃料が完全に反応しつくさなければ、真に電力の供給を停止できず、これが周知の技術の欠点である。
【発明の開示】
【発明が解決しようとする課題】
【０００３】
本発明の主要な目的は、一種の燃料電池システムの起動制御装置及びその起動制御方法を提供し、使用者が電気スイッチ（Ｓｗｉｔｃｈ）のように、燃料電池システムに化学反応を簡単に中断或いは継続させて、この燃料電池システムにより電力供給を行なうか否かを制御できるようにすることにある。
【０００４】
本発明の別の目的は、メタノール燃料電池システムにメタノール燃料を注入する必要があるものとし、化学反応の発生を希望しない使用情況下で、最も有効で、迅速で、経済的な方式によりこのような使用情況を達成できるようにすることにある。
【０００５】
上述の目的を達成するため、本発明は一種の燃料電池システムの起動制御装置を提供し、それは、剥離と貼り付け可能な隔離膜が緊密に燃料電池システムの陰極位置に貼り付けられるか、或いは陰極位置より剥離され、これにより緊密な貼り付け状態下で、外界空気と燃料電池システムを完全に隔離し、及び、剥離状態下で、外界空気を燃料電池システムの陰極に流通させるようにする。
【０００６】
更に、上述の目的を達成するため、本発明は一種の燃料電池システムの起動制御方法を提供し、それは、燃料電池システムを提供するステップ、起動制御装置を緊密に燃料電池システムの陰極位置に貼り付けて、外界空気と燃料電池システムの陰極を完全に隔離し、これにより燃料電池システムの化学反応を中断させるステップ、及び、起動制御装置を燃料電池システムの陰極位置より剥離し、外界空気を燃料電池システムの陰極に流通させ、これにより燃料電池システムに化学反応を進行させるステップ、を包含する。
【課題を解決するための手段】
【０００７】
請求項１の発明は、燃料電池システムの起動制御装置において、剥離と貼り付け可能な隔離膜を具え、該隔離膜が緊密に燃料電池システムの陰極位置に貼り付けられるか、陰極位置より剥離され、これにより緊密な貼り付け状態下で、外界空気と燃料電池の陰極が完全に隔離され、及び、剥離状態下で、外界空気が燃料電池システムの陰極に流通することを特徴とする、燃料電池システムの起動制御装置としている。
請求項２の発明は、請求項１記載の燃料電池システムの起動制御装置において、隔離膜の材質がポリ塩化ビニルとされたことを特徴とする、燃料電池システムの起動制御装置としている。
請求項３の発明は、請求項１記載の燃料電池システムの起動制御装置において、隔離膜の材質が完全に空気を遮断できる材質とされたことを特徴とする、燃料電池システムの起動制御装置としている。
請求項４の発明は、請求項１記載の燃料電池システムの起動制御装置において、燃料電池システムがメタノール燃料電池システムとされたことを特徴とする、燃料電池システムの起動制御装置としている。
請求項５の発明は、請求項１記載の燃料電池システムの起動制御装置において、隔離膜が鮮度保持膜とされ、該鮮度保持膜が燃料電池システム全体の包囲被覆して外界空気と燃料電池システムの陰極を完全に隔離できるものとされたことを特徴とする、燃料電池システムの起動制御装置としている。
請求項６の発明は、燃料電池システムの起動制御方法において、
燃料電池システムを提供するステップ、
起動制御装置を緊密に燃料電池システムの陰極位置に貼り付けて、外界空気と燃料電池システムの陰極を完全に隔離し、これにより燃料電池システムの化学反応を中断させるステップ、
起動制御装置を燃料電池システムの陰極位置より剥離し、外界空気を燃料電池システムの陰極に流通させ、これにより燃料電池システムに化学反応を進行させるステップ、
を包含したことを特徴とする、燃料電池システムの起動制御方法としている。
請求項７の発明は、請求項６記載の燃料電池システムの起動制御方法において、起動制御装置が隔離膜とされたことを特徴とする、燃料電池システムの起動制御方法としている。
請求項８の発明は、請求項７記載の燃料電池システムの起動制御方法において、隔離膜が剥離と貼り付け可能な隔離膜とされたことを特徴とする、燃料電池システムの起動制御方法としている。
請求項９の発明は、請求項７記載の燃料電池システムの起動制御方法において、隔離膜の材質がポリ塩化ビニルとされたことを特徴とする、燃料電池システムの起動制御方法としている。
請求項１０の発明は、請求項７記載の燃料電池システムの起動制御方法において、隔離膜の材質が空気を完全に遮断できる材質とされたことを特徴とする、燃料電池システムの起動制御方法としている。
請求項１１の発明は、請求項６記載の燃料電池システムの起動制御方法において、燃料電池システムがメタノール燃料電池システムとされたことを特徴とする、燃料電池システムの起動制御方法としている。
請求項１２の発明は、請求項７記載の燃料電池システムの起動制御方法において、隔離膜が鮮度保持膜とされ、該鮮度保持膜が燃料電池システム全体の包囲被覆して外界空気と燃料電池システムの陰極を完全に隔離できるものとされたことを特徴とする、燃料電池システムの起動制御方法としている。
【発明の効果】
【０００８】
本発明は上述の周知の技術の欠点に対して、一種の燃料電池システムの起動制御装置及びその起動制御方法を提供し、使用者が電気スイッチ（Ｓｗｉｔｃｈ）のように、燃料電池システムに化学反応を簡単に中断或いは継続させて、この燃料電池システムにより電力供給を行なうか否かを制御できるようにしている。
【発明を実施するための最良の形態】
【０００９】
図１は本発明の分解図であり、本発明の起動制御装置１０は緊密に燃料電池システム２０の陰極位置２０Ａに貼り付けられるか、或いは燃料電池システム２０の陰極位置２０Ａより剥離され、燃料電池システム１０が陰極位置２０Ａに緊密に貼り付いた状態とされるか或いは剥離された状態とされるかにより、使用者が簡単に燃料電池システム２０に化学反応を形成させて電力を生成させるか否かの条件を制御できるようにし、使用者が直接燃料電池システム２０の電力のオンオフを行なえるようにし、これはスイッチで電源をオンオフするのと同様である。
【００１０】
メタノール燃料電池システム２０の実施例で説明すると、メタノール燃料電池システム２０の陽極化学反応は以下のとおりである。
ＣＨ3 ＯＨ＋Ｈ2 Ｏ  →  ６Ｈ+ ＋６ｅ- ＋ＣＯ2 
メタノール燃料電池システム２０の陰極化学反応は以下のとおりである。
１．５Ｏ2 ＋６Ｈ+ ＋６ｅ-   →  ３Ｈ2 Ｏ
総反応は以下のとおりである。
ＣＨ3 ＯＨ＋Ｈ2 Ｏ＋１．５Ｏ2 →  ３Ｈ2 Ｏ＋ＣＯ2
【００１１】
以上の反応式を観察すれば明らかであるように、酸素ガスＯ2 の供給はメタノール燃料電池システム２０が反応を行なうか否かの十分且つ必要な条件であり、もし酸素ガスＯ2 の供給が中断すれば、メタノール燃料電池システム２０は化学反応を進行できず、即ちメタノール燃料電池システム２０の電力生成が停止する。
【００１２】
図２は燃料電池システムの陰極位置に緊密に隔離膜が貼り付けられた状態を示す。図２にあって、起動制御装置１０の具体的実施手段は隔離膜とされ、隔離膜が燃料電池システム２０の陰極位置２０Ａに緊密に貼り付けられれば、燃料電池システム２０の陰極は外界空気の供給が受けられず、これにより燃料電池システム２０の化学反応が中断され、電力の生成が停止する。
【００１３】
図３は隔離膜が燃料電池システムの陰極位置より剥離された状態を示す。使用者が図２の隔離膜を燃料電池システム２０の陰極位置２０Ａより剥離すると、燃料電池システム２０の陰極は外界の空気の供給を受けることができるようになり、燃料電池システム２０の化学反応が順調に実行され、これにより電力が生成される。さらに、図３の状態で使用されていて、隔離膜１０が再度緊密に燃料電池システム２０の陰極位置２０Ａに貼り付けられれば、即ち図２の状態に回復し、隔離膜の緊密な貼り付けにより、燃料電池システム２０が再度電力の生成を停止する。燃料電池システム２０の使用者は重複して図２と図３の状態を実行でき、使用者はスイッチを使用するように、燃料電池システム２０の電力のオン或いはオフの操作を行なうことができる。
【００１４】
本発明の起動制御装置１０を応用する燃料電池システム２０の態様は、硬質或いは軟質のプリント回路板（ＰＣＢ）工程により製造された燃料電池システム２０とされ、図４は本発明の起動制御装置を応用したその他の実施例の燃料電池システムを示す。本発明の起動制御装置１０は特にメタノール燃料電池システムに適用される。メタノール燃料電池システムは先ずメタノール燃料を注入する必要があり、化学反応を発生させたくない使用情況下で、本発明の起動制御装置１０はその機能を発揮でき、隔離膜を燃料電池システム２０の陰極位置２０Ａに貼り付ければ、即刻最も有効で、迅速に、経済的な方式でこのような使用情況を達成できる。
【００１５】
図５は本発明の方法のフローチャートである。本発明の燃料電池システムの起動制御方法３０は、ステップ３０１、３０３、３０５を具え、それぞれの説明は以下のとおりである。まず、ステップ３０１では燃料電池システム２０を提供し、ステップ３０１の燃料電池システム２０はメタノール燃料電池システムとされうる。ステップ３０３では起動制御装置１０を緊密に燃料電池システム２０の陰極位置２０Ａに貼り付けて外界空気と燃料電池システム２０の陰極を完全に隔離し、これにより燃料電池システム２０の化学反応を中断させる。ステップ３０５では、起動制御装置１０を燃料電池システム２０の陰極位置２０Ａより剥離して外界空気を燃料電池システム２０の陰極に流通させ、これにより燃料電池システム２０に化学反応を進行させる。以上の説明において、ステップ３０３とステップ３０５の起動制御装置１０は隔離膜を採用して実施される。
【００１６】
本発明の上述の隔離膜の材質には完全に空気を遮断できる材料、例えばポリ塩化ビニル樹脂が使用される。隔離膜の面積サイズは完全に燃料電池システム２０の全ての陰極を遮蔽できるものとされる。
【００１７】
更に、上述の隔離膜の材料は鮮度保持膜とされ得て、鮮度保持膜を利用して燃料電池システム２０の全体を包囲、密封し、外界空気と燃料電池システム２０の陰極を完全に隔離することができる。
【００１８】
以上の実施例は本発明の実施範囲を限定するものではなく、本発明に基づきなしうる細部の修飾或いは改変は、いずれも本発明の請求範囲に属するものとする。
【図面の簡単な説明】
【００１９】
【図１】本発明の分解図である。
【図２】本発明の燃料電池システムの陰極位置に緊密に貼り付けられた隔離膜の表示図である。
【図３】本発明の隔離膜が燃料電池システムの陰極位置より剥離された表示図である。
【図４】本発明の起動制御装置を応用した燃料電池システムのその他の実施例の表示図である。
【図５】本発明の方法のフローチャートである。
【符号の説明】
【００２０】
１０  起動制御装置
２０  燃料電池システム
２０Ａ  陰極位置
３０  起動制御方法
３０１、３０３、３０５  ステップ
【図１】
2005285762.tif 000003
【図２】
2005285762.tif 000004
【図３】
2005285762.tif 000005
【図４】
2005285762.tif 000006
【図５】
2005285762.tif 000007